(57)【要約】【課題】  搬送方向に連続的に配置されるローラ対によって印画紙が圧接される際に、搬送方向に沿って形成される圧接跡を抑制することが可能な搬送装置を提供する。【解決手段】  用紙搬送機構７０では、第１ローラ部６３と第２ローラ部６６とを対とする搬送ローラ５９が、搬送方向Ｙに複数設けられている。搬送ローラ５９は、第２ローラ部６６と、第２ローラ部６６との間においてプリント用紙Ｐを圧接して搬送するために第２ローラ部６６と対向する位置に設けられた第１ローラ部６３とを備えている。第１ローラ部６３は、プリント用紙Ｐと当接する外周面端部の幅方向の位置が周方向に対して変化し、幅方向Ｘに複数のローラ６０ａ〜６０ｃを有している。【選択図】      図４
2006327783.tif 000002
【特許請求の範囲】
【請求項１】
印画紙を圧接して搬送する搬送ローラを備えた搬送装置であって、
前記印画紙と当接する外周面端部の幅方向の位置が周方向に対して変化し、前記印画紙の搬送方向に交差する方向に配置された複数のローラを有する第１ローラ部と、
前記第１ローラ部との間において前記印画紙を圧接して搬送するために、前記第１ローラ部と対向する位置に設けられた第２ローラ部と、を備えており、
前記第１ローラ部と、前記第２ローラ部と、を対とするローラ対が前記印画紙の搬送方向に複数設けられている搬送装置。
【請求項２】
前記第１ローラ部は、硬質材料によって形成されたローラを有しており、前記第２ローラ部は、軟質材料によって形成されたローラを有している、
請求項１に記載の搬送装置。
【請求項３】
前記第１ローラ部に含まれる前記ローラは、Ｃ面取り形状を有している、
請求項１または２に記載の搬送装置。
【発明の詳細な説明】
【技術分野】
【０００１】
本発明は、印画紙等を互いに対向するローラによって圧接して搬送する搬送装置に関する。
【背景技術】
【０００２】
従来より、印画紙等を搬送するための手段として、互いに対向するローラによって圧接して搬送する搬送装置が用いられている。
通常、互いに対向するローラによって構成されるローラ対を備えた搬送装置では、印画紙等を搬送するために、ローラ対が搬送方向に対して連続的に配置されている。
例えば、特許文献１には、印画紙を搬送するために図１に符号２６，２７，３０，３１が示すようにローラ対が搬送方向に連続的に配置されている。
【特許文献１】特開２００５−０８９０５８号公報（平成１７年４月７日公開）
【発明の開示】
【発明が解決しようとする課題】
【０００３】
しかしながら、前記従来の搬送装置では、以下に示すような問題点を有している。
すなわち、前記公報に開示された搬送装置では、印画紙を圧接するローラ対のローラが印画紙と当接する外周面端部の幅方向の位置は、周方向に対して一定である。このようなローラ対を連続的に通過すると、搬送方向と交差する方向において印画紙の同じ位置が繰り返し圧接される。このため、印画紙にはローラによる圧接跡が搬送方向に沿って形成されてしまう。
【０００４】
本発明の課題は、搬送方向に連続的に配置されるローラ対によって印画紙が圧接される際に、搬送方向に沿って形成される圧接跡を抑制することが可能な搬送装置を提供することにある。
【課題を解決するための手段】
【０００５】
第１の発明に係る搬送装置は、印画紙を圧接して搬送する搬送ローラを備えた搬送装置であって、第１ローラ部と第２ローラ部とを備えている。第１ローラ部は、印画紙と当接する外周面端部の幅方向の位置が周方向に対して変化し、印画紙の搬送方向に交差する方向に配置された複数のローラを有している。第２ローラ部は、第１ローラ部との間において印画紙を圧接して搬送するために、第１ローラ部と対向する位置に設けられている。さらに、第１ローラ部と、第２ローラ部と、を対とするローラ対が印画紙の搬送方向に複数設けられている。
【０００６】
ここでは、印画紙が第１ローラ部と第２ローラ部との間に圧接されて搬送される際に印画紙とローラとの当接部において搬送方向に沿って圧接跡が形成されることを抑制するために、搬送装置は印画紙を搬送する際に印画紙に対して当接する外周面端部の幅方向の位置が周方向において変化するローラを第１ローラ部に備えている。
通常、互いに対向するローラによって構成されるローラ対を備えた搬送装置では、印画紙を搬送するために、ローラ対が搬送方向に対して連続的に配置されている。印画紙が１つのローラ対を通過すると、印画紙の搬送方向に交差する方向に配置された複数のローラが印画紙を圧接することになる。印画紙がこのようなローラ対を連続的に通過すると、印画紙の搬送方向に交差する方向に配置された複数のローラにより、搬送方向と交差する方向において印画紙の同じ位置が繰り返し圧接されることになる。その結果、印画紙にはローラによる圧接跡が搬送方向に沿って形成されるようになる。
【０００７】
そこで、本発明の搬送装置では、印画紙と当接する外周面端部の幅方向の位置が周方向に対して変化し、印画紙の搬送方向に交差する方向に複数のローラが配置された第１ローラ部を有している。
これにより、印画紙が第１ローラ部と第２ローラ部との間に圧接されて第１ローラ部の各ローラに当接する位置は、搬送方向に対して変化するようになる。このため、搬送方向に連続的に通過する複数のローラ対の間において、第１ローラ部の各ローラが搬送方向と交差する方向において印画紙の同じ位置を圧接する機会は極めて稀となる。
【０００８】
この結果、印画紙がローラ対の間を搬送方向に連続的に通過する際における、第１ローラ部の各ローラが印画紙に対して搬送方向と交差する方向における同じ位置を繰り返し圧接することを防止し、印画紙に対して搬送方向に沿って圧接跡が形成されることを抑制することが可能となる。
なお、第１ローラ部において、印画紙と当接する外周面の幅方向の長さが周方向に対して変化するように各ローラが形成された場合でも、印画紙が第１ローラ部と第２ローラ部との間に圧接されて第１ローラ部の各ローラに当接する位置は搬送方向に対して変化するようになる。これにより、上記と同様の結果を得ることが可能である。
【０００９】
第２の発明に係る搬送装置は、第１の発明に係る搬送装置であって、第１ローラ部は、硬質材料によって形成されたローラを有しており、第２ローラ部は、軟質材料によって形成されたローラを有している。
ここでは、第１ローラ部に含まれるローラを、例えば、ＰＰ（ポリプロピレン）等の硬質材料によって形成し、第２ローラ部に含まれるローラを、例えば、発泡ウレタン等の軟質材料によって形成する。
【００１０】
これにより、材質が異なる２つのローラを用いることで、印画紙の当接面の種類に応じてそれぞれに適した材質のローラを配置することが可能となる。
この結果、印画紙がローラ対の間を搬送方向に連続的に通過しても、印画紙の品質を劣化させることなく、搬送することができる。
第３の発明に係る搬送装置は、第１または第２の発明に係る搬送装置であって、第１ローラ部に含まれるローラは、Ｃ面取り形状を有している。
【００１１】
ここでは、印画紙と当接する外周面端部の幅方向の位置を、周方向に対して変化させる構成として、第１ローラ部に含まれるローラがＣ面取り形状を有している。
これにより、印画紙と当接する外周面端部の幅方向の位置が周方向に対して変化するローラを容易に形成することができる。
【発明の効果】
【００１２】
第１の発明に係る搬送装置によれば、印画紙がローラ対の間を搬送方向に連続的に通過する際において、第１ローラ部の各ローラが印画紙に対して搬送方向と交差する方向における同じ位置を繰り返し圧接することを防止し、印画紙に対して搬送方向に沿って圧接跡が形成されることを抑制することが可能となる。
第２の発明に係る搬送装置によれば、印画紙がローラ対の間を搬送方向に連続的に通過しても、印画紙の品質を劣化させることなく、搬送することができる。
【００１３】
第３の発明に係る搬送装置によれば、印画紙と当接する外周面端部の幅方向の位置が周方向に対して変化するローラを容易に形成することができる。
【発明を実施するための最良の形態】
【００１４】
本発明の一実施形態に係る写真プリント装置１００について、図１〜図５を用いて説明すれば以下の通りである。
［写真プリント装置１００全体の構成］
本発明の一実施形態に係る写真プリント装置１００は、図１および図２に示すように、画像データの取得及びオーダ情報の取得を行い必要な補正処理等を行う受付ブロックＡと、この受付ブロックＡから通信ケーブル１を介して伝送される画像データをオーダ情報に基づきプリント用紙（印画紙）Ｐ（図２等参照）に対してプリントを行って、プリント用紙Ｐを排出口１９から外部へ排出するように構成されたプリンタ本体としてのプリントブロックＢを備えている。
【００１５】
受付けブロックＡは、受付装置６と、ディスプレイ８と、フラットベッドスキャナＦＳとを備えている。
受付装置６は、ワゴン型のフレーム５の上部に配置されていて、フラッシュメモリから成る記録媒体Ｍｓに保存された画像データを読み出すための半導体ドライブ９と、ＣＤ−ＲやＤＶＤ等のディスク型の記録媒体Ｍｄに保存された画像データを読み出すためのディスクドライブ１０とが配設されている。
【００１６】
ディスプレイ８は、表示画面がタッチパネル７によって構成されていて、液晶型のものである。
フラットベッドスキャナＦＳは、フレーム５の上下方向の中間位置に設けられており、透明ガラス製のスキャニングテーブル１３とこのスキャニングテーブル１３の下側に配置されたスキャニングヘッド１４とを有する本体部１１と、この本体部１１に開閉自在に取り付けられたプラテンカバー１２とを備えている。
【００１７】
スキャニングヘッド１４はプリント用紙Ｐの搬送方向に直交する方向（以下、幅方向Ｘと示す。）に配設された複数の光電変換素子（例えば、ＣＣＤ等）と光源とを備え、プリント用紙Ｐの搬送方向（以下、搬送方向Ｙと示す。）に移動することによりスキャニングテーブル１３に載せられたスキャニング対象物の画像をＲ（赤）・Ｇ（緑）・Ｂ（青）の三原色に色分解した画像データとして取り込むように構成されている。
【００１８】
プリントブロックＢは、図２に示すように、筺体１５と、２つのマガジンセット部Ｂａ，Ｂａと、プリント部Ｂｂと、インク貯留部Ｂｃとを備えている。
筐体１５は、筺体１５の上部中央部であってプリント用紙ＰをプリントブロックＢの外部へ排出するための排出口１９の近傍に、該排出口１９からプリントブロックＢの外部へ排出されたプリント用紙Ｐを受け止める排紙トレイ１８が取り付けられている。
【００１９】
マガジンセット部Ｂａは、筐体１５の下部に２つ配置されている。このマガジンセット部Ｂａは、前壁体１５Ａのスライド移動に伴いスライド移動するドロワー２０を備えていて、このドロワー２０にマガジン２１によって収容保持されたロール状のプリント用紙Ｐをセットするように構成されている。このプリント用紙Ｐは、プリント面（印画面）が外側となるように巻かれている。
【００２０】
プリント部Ｂｂは、筐体１５内の上部中央部に配置されていて、プリント用紙Ｐに対して画像データのプリントを行う。このプリント部Ｂｂは、プリント用紙Ｐに対してインクを吐出して画像を形成するプリントヘッドＨを備えている。
インク貯留部Ｂｃは、壁体１５Ｃ内に挿抜可能に収容されかつ色相が互いに異なる７つのインクカートリッジ２３，…を備えている。これらのインクカートリッジ２３，…は、挿抜することにより新しいインクカートリッジ２３に交換することができる。これらのインクカートリッジ２３，…には夫々、イエロー（Ｙ）、マゼンタ（Ｍ）、シアン（Ｃ）、ブラック（Ｋ）、レッド（Ｒ）、バイオレット（Ｖ）及び透明（ＣＬ）のインクが封入されている。なお、壁体１５Ｃは、鉛直方向に延びる軸心周りに揺動開閉自在に構成されている。
【００２１】
［用紙搬送機構７０（搬送装置）の構成］
図３に示すように、プリントブロックＢには、マガジンセット部Ｂａからプリント用紙Ｐを引き出して所定の搬送経路に沿って搬送する用紙搬送機構７０が設けられている。この用紙搬送機構７０は、前記搬送経路を構成すべく、マガジンセット部Ｂａから順に、供給ユニットＵ１、プリントユニットＵ２、ループ形成ユニットＵ３、カッターユニットＵ４、反転ユニットＵ５及び排出ユニットＵ６を備えている。
【００２２】
そして、プリント用紙Ｐに対して画像のプリントを行う際に、２つのマガジンセット部Ｂａ，Ｂａのうちいずれか一方にセットされたプリント用紙Ｐを供給ユニット１によってプリント部Ｂｂに供給する。それから、その供給されたプリント用紙ＰをプリントユニットＵ２によって搬送しつつプリントヘッドＨを走査させることによって画像データに基づいて画像のプリントを行う。その後、画像がプリントされたプリント用紙Ｐをループ形成ユニットＵ３からカッターユニットＵ４に送って予め決められた長さに切断した後、反転ユニットＵ５及び排出ユニットＵ６によって横送りベルト１６又は排紙トレイ１８に対して送り出す。
【００２３】
供給ユニットＵ１は、マガジン２１に収容されたプリント用紙Ｐに回転力を付与する支持ローラ２５と、プリント用紙Ｐをマガジン２１からプリントユニットＵ２に搬送するための圧接型の供給ローラ２６と、その供給ローラ２６によって搬送されるプリント用紙Ｐを案内するガイド部材（図示せず）とを備えている。支持ローラ２５と供給ローラ２６とは供給搬送用の電動モータによって駆動される。
【００２４】
プリントユニットＵ２は、図３に示すように、ガイドレール２８と、駆動ベルト３０と、用紙保持部Ｄと、圧接型の一対の搬送ローラ３１，３１とを備えている。
ガイドレール２８は、プリントヘッドＨを幅方向Ｘに垂直な方向に案内する。
駆動ベルト３０は、プーリ２９に巻かれかつプリントヘッドＨをガイドレール２８に沿って往復移動させるために設けられている。
【００２５】
用紙保持部Ｄは、プリント用紙ＰをプリントヘッドＨがプリントを行うことが可能な位置に吸着保持する。また用紙保持部Ｄは、厚み方向に複数の孔が形成され、また、幅方向Ｘに対して対称に形成されたプリント台３２と、筺体３３内に設けられかつプリント用紙Ｐに対してプリント台３２の孔を介して負圧を与えるためのファン３４とを備えている。
圧接型の一対の搬送ローラ３１，３１は、この用紙保持部Ｄの搬送方向Ｙに対して上流側及び下流側のそれぞれに幅方向Ｘに並設配置されている。
【００２６】
ループ形成ユニットＵ３は、搬送方向Ｙの下流側の搬送ローラ３１の下流側に配置されたガイド板３６と、このガイド板３６によって案内されたプリント用紙Ｐを搬送するための圧接型の中間ローラ３７とを備えている。
カッターユニットＵ４は、固定刃３９と、可動刃４０と、反射型のセンサを有するカット位置センサ４１と、プリント用紙Ｐを送り出すための圧接型の送り出しローラ４２とを備えている。
【００２７】
反転ユニットＵ５は、プリント用紙Ｐを搬送する駆動ローラ４３と、この駆動ローラ４３と共にプリント用紙Ｐを圧接する従動ローラ４４と、これら駆動ローラ４３及び従動ローラ４４からなる作動ローラ対４５の向きを変更する切換機構（図示せず）と、プリント用紙Ｐのプリント面側に設けられた回転自在のガイドローラ４６を備えている。
排出ユニットＵ６は、プリント用紙Ｐを搬送するために搬送方向Ｙに複数配置された一対の圧接型の搬送ローラ（ローラ対）５９，…と、これらの搬送ローラ５９，…によって搬送されたプリント用紙Ｐを横送りベルト１６及び排紙トレイ１８のうちいずれか一方に送り出すための経路切換機構（図示せず）とを備えている。この排出ユニットＵ６は、プリント用紙Ｐを排出口１９から排出させる排出手段を構成する。
【００２８】
［搬送ローラ５９の構成］
搬送ローラ５９はプリント用紙Ｐを搬送するための圧接型の搬送ローラ５９であって、図３に示すように、搬送方向Ｙ（図４参照）に複数配置されている。
この搬送ローラ５９は、図４に示すように、第１ローラ部６３と第２ローラ部６６とを有している。
【００２９】
第１ローラ部６３は、図４に示すように、幅方向Ｘに配置されたローラ軸６２と、このローラ軸６２に取り付けられた複数のローラ、つまりローラ６０ａとローラ６０ｂとローラ６０ｃとから形成されるローラ群６１を備えている。そして、搬送方向Ｙに複数配置された搬送ローラ５９において、第１ローラ部６３に含まれるローラ軸６２の長さおよびローラ軸６２に取り付けられるローラ６０ａ〜６０ｃの幅方向Ｘにおける取り付け位置はすべて同じである。また、第１ローラ部６３は、電動モータ（図示せず）によって回転駆動される駆動ローラである。
【００３０】
本実施形態の用紙搬送機構７０において、第１ローラ部６３に含まれるそれぞれのローラ６０ａ〜６０ｃは、プリンタ用紙Ｐのプリント面とは反対の面、つまりプリントされない面と当接する。そして、ローラ６０ａ〜６０ｃは、すべて硬質材料のＰＰ（ポリプロピレン）により形成される。
また、ローラ６０ａ〜６０ｃは、プリント用紙Ｐと当接する外周面の幅方向の長さが周方向に対して変化する形状を有している。具体的には、各ローラ６０ａ〜６０ｃは、図５に示すように、幅方向の両端に徐変Ｃ面取部６７を有している。なお、本実施形態では当該形状の精度を高めるために、図５に示すようなローラ６０ａ〜６０ｃを用意し、この外形を研磨することによって図４に示すローラ６０ａ〜６０ｃの形状に成形した。
【００３１】
第２ローラ部６６は、図４に示すように、幅方向Ｘに沿って配置されたローラ軸６５と、このローラ軸６５に取り付けられた幅方向Ｘに連続する１つのローラ６４を有している。搬送方向Ｙに複数配置された搬送ローラ５９においては、第２ローラ部６６に含まれるローラ軸６５の長さおよびローラ軸６５に取り付けたローラ６４の幅方向Ｘにおける取り付け位置はすべて同じである。
【００３２】
また、第２ローラ部６６は、第１ローラ部に含まれるそれぞれのローラ６０ａ〜６０ｃとの間においてプリント用紙Ｐを圧接して送り出すための従動ローラである。
本実施形態における用紙搬送機構７０において第２ローラ部６６に含まれるローラ６４は、プリンタ用紙Ｐの印画面と当接する。このローラ６４は軟質材料の発泡ウレタンによって形成される。
【００３３】
［用紙搬送機構７０によるプリント用紙Ｐの搬送］
本実施形態の用紙搬送機構７０では、図３に示すように、プリント用紙Ｐが用紙搬送機構７０によって排出ユニットＵ６内を搬送されると、プリント用紙Ｐは、複数の圧接型の搬送ローラ５９を連続して通過する。このとき、プリント用紙Ｐは、第１ローラ部６３に含まれるそれぞれのローラ６０ａ〜６０ｃと、第２ローラ部６６に含まれるローラ６４との間において圧接される。
【００３４】
本実施形態の用紙搬送機構７０では、第１ローラ部６３のそれぞれのローラ６０ａ〜６０ｃが、プリント用紙Ｐと当接する外周面の幅方向Ｘの長さが周方向に対して変化する形状を有している。このため、搬送方向Ｙに連続して配置される搬送ローラ５９において、それぞれのローラ６０ａ〜６０ｃが、幅方向Ｘにおいてプリント用紙Ｐの同じ位置と当接する機会は極めて稀となる。これにより、前述したようなローラ６０ａ〜６０ｃのプリント用紙Ｐに対する圧力が、プリント用紙Ｐにおける同じ位置に連続的に作用することが稀となる。この結果、プリント用紙Ｐに圧接跡は形成されない。
【００３５】
［用紙搬送機構７０の特徴］
（１）
本実施形態の用紙搬送機構７０では、第１ローラ部６３と第２ローラ部６６とを対とする搬送ローラ５９が、搬送方向Ｙに複数設けられている。搬送ローラ５９は、第２ローラ部６６と、第２ローラ部６６との間においてプリント用紙Ｐを圧接して搬送するために第２ローラ部６６と対向する位置に設けられた第１ローラ部６３とを備えている。第１ローラ部６３は、プリント用紙Ｐと当接する外周面端部の幅方向の位置が周方向に対して変化し、幅方向Ｘに複数設けられたローラ６０ａ〜６０ｃを有している。
【００３６】
通常、このような第１ローラ部に含まれるそれぞれのローラは、プリント用紙と当接する外周面端部の幅方向の位置が周方向に対して一定である。このため、プリント用紙が搬送方向に複数配置された搬送ローラを連続的に通過すると、それぞれのローラによって幅方向においてプリント用紙の同じ位置が繰り返し当接される。前述のように、同じ位置が繰り返し当接されることによって、プリント用紙には圧接跡が形成されるようになる。
【００３７】
そこで、本実施形態の用紙搬送機構７０では、プリント用紙Ｐと当接する外周面端部の幅方向の位置が周方向に対して変化する複数のローラ６０ａ〜６０ｃを有している。
これにより、プリント用紙Ｐが第１ローラ部６３と第２ローラ部６６との間に圧接されて第１ローラ部６３に含まれるそれぞれのローラ６０ａ〜６０ｃとプリント用紙Ｐとが当接する位置が、搬送方向Ｙにおいて変化する。このため、搬送方向Ｙに連続的に通過する複数の搬送ローラ５９の間において、第１ローラ部６３に含まれるそれぞれのローラ６０ａ〜６０ｃが幅方向Ｘにおいてプリント用紙Ｐの同じ位置と当接する機会は極めて稀となる。
【００３８】
この結果、それぞれのローラ６０ａ〜６０ｃが、プリント用紙Ｐの幅方向Ｘにおいて同じ位置に繰り返し当接することによってプリント用紙Ｐに圧接跡が形成されるといった不具合の発生を抑制することができる。
（２）
本実施形態の用紙搬送機構７０では、第１ローラ部６３は、幅方向Ｘに複数のローラ６０ａ〜６０ｃを有している。そして、各ローラ６０ａ〜６０ｃは、プリント用紙Ｐと当接する外周面の幅方向の長さが周方向に対して変化する。
【００３９】
これにより、プリント用紙Ｐが第１ローラ部６３と第２ローラ部６６との間に圧接されて第１ローラ部６３に含まれるそれぞれのローラ６０ａ〜６０ｃとプリント用紙Ｐとが当接する長さが、搬送方向Ｙに対して変化する。これは、ローラ６０ａ〜６０ｃとプリント用紙Ｐの当接する位置を変化させる具体的構成の一つである。
この結果、それぞれのローラ６０ａ〜６０ｃが、プリント用紙Ｐの幅方向Ｘにおいて同じ位置を繰り返し当接することによって、プリント用紙Ｐに圧接跡が形成されることを抑制することができる。
【００４０】
（３）
本実施形態の用紙搬送機構７０では、第１ローラ部６３に含まれる全てのローラ６０ａ〜６０ｃを硬質材料の一種であるＰＰ（ポリプロピレン）で形成する。
また第２ローラ部６６に含まれるローラ６４は軟質材料の一種である発泡ウレタンで形成する。
【００４１】
これにより、用紙搬送機構７０は、ＰＰと発泡ウレタンの材質が異なるローラを用いることで、プリント用紙Ｐの当接面の種類に応じてそれぞれに適した材質のローラを配置することが可能となる。例えば、本実施形態では、軟質材料である発泡ウレタンから形成される第２ローラ部６６が、プリント用紙Ｐの印画面に当接することによって、ローラ６４との当接による圧接跡がプリント用紙Ｐの品質を劣化させることを防止する。
【００４２】
この結果、プリント用紙Ｐの搬送において、複数の圧接型の搬送ローラ５９を連続して通過してもプリント用紙Ｐの品質の劣化を抑制することができる。
（４）
本実施形態の用紙搬送機構７０では、第１ローラ部６３のそれぞれのローラ６０ａ〜６０ｃが、図５に示すように、徐変Ｃ面取部６７を有している。
【００４３】
これにより、プリント用紙Ｐと当接する外周面端部の幅方向Ｘの位置が周方向に対して変化するローラを容易に形成することができる。
［他の実施形態］
以上、本発明の一実施形態について説明したが、本発明は前記実施形態に限定されるものではなく、発明の要旨を逸脱しない範囲で種々の変更が可能である。
【００４４】
（Ａ）
前記実施形態では、第１ローラ部６３に含まれる複数のローラ６０ａ〜６０ｃが、その両端部に徐変Ｃ面取部６７を有しており、プリント用紙Ｐと当接する外周面の幅方向の長さが周方向に対して変化する例を挙げて説明した。しかし、本発明はこれに限定されるものではない。
【００４５】
例えば、第１ローラ部６３に含まれる複数のローラ６９ａ〜６９ｃが、図６に示すように、その両端部において互いに反対向きの徐変Ｃ面取部６８を有しており、ローラ端部が互いに平行である形状を有していてもよい。つまり、ローラ６９ａ〜６９ｃをプリント用紙Ｐと当接する外周面端部の幅方向の位置が一定でもその位置が周方向に対して変化するように形成してもよい。
【００４６】
これにより、第１ローラ部６３に含まれるそれぞれのローラ６９ａ〜６９ｃが幅方向Ｘにおけるプリント用紙Ｐの同じ位置を繰り返し圧接することを防止し、プリント用紙Ｐに対して搬送方向に沿って圧接跡が形成されることを抑制することが可能となる。この結果、前記実施形態と同様の効果を得ることができる。
（Ｂ）
前記実施形態では、第２ローラ部６６に幅方向Ｘに連続する一つのローラ６４が配置された例を挙げて説明した。しかし、本発明はこれに限定されるものではない。
【００４７】
例えば、第２ローラ部６６に幅方向Ｘに複数のローラが配置されてもよい。
（Ｃ）
前記実施形態では、第１ローラ部６３に含まれる複数のローラ６０ａ〜６０ｃをすべて硬質材料から形成し、第２ローラ部６６を軟質材料から形成した例を挙げて説明した。しかし、本発明はこれに限定されるものではない。
【００４８】
例えば、第１ローラ部６３に含まれる複数のローラ６０ａ〜６０ｃをすべて軟質材料から形成し、第２ローラ部６６を硬質材料から形成してもよい。
（Ｄ）
前記実施形態では、第１ローラ部６３に含まれる複数のローラ６０ａ〜６０ｃをすべて硬質材料から形成した例を挙げて説明した。しかし、本発明はこれに限定されるものではない。
【００４９】
例えば、第１ローラ部６３に含まれる複数のローラ６０ａ〜６０ｃのうち、両端部のローラ６０ａ、６０ｃを硬質材料から形成し、残りのローラ６０ｂを軟質材料から形成してもよい。
（Ｅ）
前記実施形態では、前記第１ローラ部６３のプリント用紙Ｐと当接する外周面端部の幅方向の位置が周方向に対して変化させる具体的な構成として、第１ローラ部６３に含まれる複数のローラ６０ａ〜６０ｃが徐変C面取部６７を有する例を挙げて説明した。しかし、本発明はこれに限定されるものではない。
【００５０】
すなわち、プリント用紙Ｐと当接する外周面端部の幅方向の位置が周方向に対して変化させる具体的な構成として、徐変Ｃ面取部６７を有するもの以外であってもよい。
（Ｆ）
前記実施形態では、前記第１ローラ部６３について３つのローラ６０ａ〜６０ｃから形成した例を挙げて説明した。しかし、本発明はこれに限定されるものではない。
【００５１】
すなわち、第１ローラ部６３は、２つまたは４つ以上のローラを含むものであってもよい。
【産業上の利用可能性】
【００５２】
本発明の搬送装置は、搬送ローラが印画紙を搬送する際に、印画紙と当接するローラが搬送方向と交差する方向における同じ位置を繰り返し圧接することを防止し、印画紙に対して搬送方向に沿った圧接跡が形成されることを抑制するという効果を奏することから、印画紙の搬送装置を備えた各種装置に対して広く適用可能である。
【図面の簡単な説明】
【００５３】
【図１】本発明の実施形態に係る写真プリント装置の全体構成の一例を示す斜視図。
【図２】図１のプリントブロックを示す斜視図。
【図３】プリントブロックにおけるプリント用紙Ｐの搬送経路を示す概略模式図。
【図４】図３における搬送ローラの構成を示す斜視図。
【図５】図４におけるローラの一形態を示す正面図。
【図６】図４におけるローラの一形態を示す正面図。
【符号の説明】
【００５４】
６        受付装置
８        ディスプレイ
１４      スキャニングヘッド
１５      筐体
２８      ガイドレール
３０      駆動ベルト
３１      搬送ローラ
５９      搬送ローラ（ローラ対）
６０ａ    ローラ
６０ｂ    ローラ
６０ｃ    ローラ
６１      ローラ群
６２      ローラ軸
６３      第１ローラ部
６４      ローラ
６５      ローラ軸
６６      第２ローラ部
６７      徐変Ｃ面取部
６９ａ    ローラ
６９ｂ    ローラ
６９ｃ    ローラ
７０      用紙搬送機構（搬送装置）
１００    写真プリント装置
Ａ        受付ブロック
Ｂ        プリントブロック
Ｂａ      マガジンセット部
Ｂｂ      プリント部
Ｂｃ      インク貯留部
Ｄ        用紙保持部
ＦＳ      フラッドベッドスキャナ
Ｐ        プリント用紙（印画紙）
Ｕ１      供給ユニット
Ｕ２      プリントユニット
Ｕ３      ループ形成ユニット
Ｕ４      カッターユニット
Ｕ５      反転ユニット
Ｕ６      排出ユニット
Ｘ        幅方向（印画紙の搬送方向に交差する方向）
Ｙ        搬送方向（印画紙の搬送方向）
【図１】
2006327783.tif 000003
【図２】
2006327783.tif 000004
【図３】
2006327783.tif 000005
【図４】
2006327783.tif 000006
【図５】
2006327783.tif 000007
【図６】
2006327783.tif 000008